(57)【要約】【課題】払出表示部の非表示時において、払出表示部を使用者に意識させないようにできる賞品払出装置を提供する。【解決手段】賞品払出装置４は、払出口の近傍に設けられて、賞品の払い出しに関する情報を表示する払出表示部３５をさらに含む。払出表示部３５は、表示面５７ａを有する透明板５７と、透明板５７において表示面５７ａと反対側の反対面５７ｂに配置された塗装膜５８と、透明板５７に対し反対面５７ｂ側（下側Ｚ２）に配置されたセグメント表示器５９とを含む。セグメント表示器５９のＬＥＤ６２の発光状態において、表示面５７ａに表示が浮かび上がる。【選択図】図６Ｂ
2018175377.tif 000002
【特許請求の範囲】
【請求項１】
遊技媒体との間で交換処理が行われる賞品を払い出す賞品払出装置であって、
賞品が収納される収納ユニットと、
前記収納ユニットに収納されている賞品が払い出される払出口と、
前記払出口の近傍に設けられ、賞品の払い出しに関する情報を表示する払出表示部とを含み、
前記払出表示部は、透光性を有する不透明な板形状で、前記賞品の払い出しに関する情報が表示される表示面と、前記表示面と反対面側に配置された発光部とを含み、
前記発光部から発せられる光が、前記反対面を透過して前記表示面に達することで前記表示面が発光することを特徴とする賞品払出装置。
【請求項２】
前記払出表示部は、前記表示面を有する透明板と、前記透明板において前記表示面または当該表示面と反対側の反対面に配置された透光性を有する不透明な塗装膜とをさらに含み、前記発光部から発せられる光が前記塗装膜および前記透明板を透過して前記表示面に達することで前記表示面が発光することを特徴とする請求項１に記載の賞品払出装置。
【請求項３】
前記塗装膜は、前記反対面に設けられていることを特徴とする請求項２に記載の賞品払出装置。
【請求項４】
前記収納ユニットが収納される装置本体をさらに含み、
前記表示面は、前記装置本体の天面に設けられており、
前記払出口は、前記天面に設けられていることを特徴とする請求項１〜３のいずれか一項に記載の賞品払出装置。
【請求項５】
前記透明板と前記発光部との間に配置されるカバー体をさらに含み、
前記カバー体の外表面の色は、明度の低い色であることを特徴とする請求項１〜４のいずれか一項に記載の賞品払出装置。
【請求項６】
前記塗装膜の色は、明度の高い色であることを特徴とする請求項１〜５のいずれか一項に記載の賞品払出装置。
【請求項７】
前記払出口は複数個設けられており、
前記払出表示部は各払出口に対応して設けられており、
各払出表示部は、対応する払出口から払い出される賞品に関する情報を表示することを特徴とする請求項１〜６のいずれか一項に記載の賞品払出装置。
【発明の詳細な説明】
【技術分野】
【０００１】
この発明は、賞品払出装置に関する。
【背景技術】
【０００２】
パチンコ店等の遊技施設には、遊技客が獲得したパチンコ球等の遊技媒体の個数に応じて遊技客に賞品を払い出す賞品払出装置が設置されている。
下記特許文献１では、遊技施設のフロアに直接据え置かれる賞品払出装置が提案されている。この賞品払出装置のキャビネットの天面には、賞品が払い出される払出部が一方向に沿って複数並んでいる。キャビネットの天面における個々のレーンの近傍に払出表示部が配置されている。複数の払出表示部は、全体で幅方向に沿って延びる帯状をなしている。各払出表示部は、キャビネットの天面に設置される液晶表示器や有機ＥＬ表示器、セグメント表示器等によって構成される。
【先行技術文献】
【特許文献】
【０００３】
【特許文献１】特許第５７４５２２６号公報
【発明の概要】
【発明が解決しようとする課題】
【０００４】
特許文献１では、天面に設置される表示器によって払出表示部が構成されている。払出表示部の表示時および非表示時の如何によらずに、払出表示部が使用者または遊技客から視認できてしまう。キャビネットの天面において使用者が作業することが多いのであるが、キャビネットの天面に払出表示部が設置されていると、払出表示部を使用者が意識してしまい、使用者が心理的に作業のしづらさを感じることも生じ得る。したがって、表示部の非表示に、払出表示部を使用者に意識させないことが望まれていた。
【０００５】
そこで、本発明の目的は、払出表示部の非表示時において、払出表示部を使用者に意識させないようにできる賞品払出装置を提供することである。
【課題を解決するための手段】
【０００６】
前記の目的を達成するための請求項１に記載の発明は、遊技媒体との間で交換処理が行われる賞品を払い出す賞品払出装置であって、賞品が収納される収納ユニットと、前記収納ユニットに収納されている賞品が払い出される払出口と、前記払出口の近傍に設けられ、賞品の払い出しに関する情報を表示する払出表示部とを含み、前記払出表示部は、透光性を有する不透明な板形状で、前記賞品の払い出しに関する情報が表示される表示面と、前記表示面と反対面側に配置された発光部とを含み、前記発光部から発せられる光が、前記反対面を透過して前記表示面に達することで前記表示面が発光することを特徴とする賞品払出装置を提供する。
【０００７】
請求項２に記載の発明は、前記払出表示部は、前記表示面を有する透明板と、前記透明板において前記表示面または当該表示面と反対側の反対面に配置された透光性を有する不透明な塗装膜とをさらに含み、前記発光部から発せられる光が前記塗装膜および前記透明板を透過して前記表示面に達することで前記表示面が発光することを特徴とする請求項１に記載の賞品払出装置である。
【０００８】
請求項３に記載の発明は、前記塗装膜は、前記反対面に設けられていることを特徴とする請求項２に記載の賞品払出装置である。
請求項４に記載の発明は、前記収納ユニットが収納される装置本体をさらに含み、前記表示面は、前記装置本体の天面に設けられており、前記払出口は、前記天面に設けられていることを特徴とする請求項１〜３のいずれか一項に記載の賞品払出装置である。
【０００９】
請求項５に記載の発明は、前記透明板と前記発光部との間に配置されるカバー体をさらに含み、前記カバー体の外表面の色は、明度の低い色であることを特徴とする請求項１〜４のいずれか一項に記載の賞品払出装置である。
請求項６に記載の発明は、前記塗装膜の色は、明度の高い色であることを特徴とする請求項１〜５のいずれか一項に記載の賞品払出装置である。
【００１０】
請求項７に記載の発明は、前記払出口は、複数の個別払出口を含み、前記払出表示部は、各個別払出口に対応して設けられた複数の個別払出表示部を含み、各払出表示部は、対応する個別払出口から払い出される賞品に関する情報を表示することを特徴とする請求項１〜６のいずれか一項に記載の賞品払出装置である。
【発明の効果】
【００１１】
請求項１によれば、発光部の発光状態では、表示面に表示が浮かび上がる。また、発光部を非発光状態にすることにより、それまで表示面に浮かび上がっていた表示が消える。これにより、発光部の非発光状態において、払出表示部を使用者に意識させないようにすることができる。これにより、払出表示部の非表示時において、払出表示部を使用者に意識させないようにできる。
【００１２】
請求項２によれば、発光部の発光状態で表示面に表示が浮かび上がり、かつ発光部の非発光状態で表示面における表示が消える構成を比較的簡素な構成で実現できる。
請求項３によれば、塗装膜が、表示面ではなく反対面に設けられている。そのため、表示面を滑らかに設けることができる。
ところで、装置本体の天面では、払い出された賞品を取り扱う作業が行われる。特許文献１の手法では、非表示時においても払出表示部が視認可能に設けられているために、使用者が払出表示部（すなわち、発光部による発光箇所）を意識してしまい、その結果、払出表示部の上に物（たとえば賞品を含む）を載置し難い等、使用者が心理的に作業のしづらさを感じてしまい、使用者が、装置本体の天面を広く使用して作業できないという問題があった。
【００１３】
これに対し、請求項４によれば、発光部の発光状態では、装置本体の天面に設けられた表示面に表示が浮かび上がる。また、表示面に浮かび上がっていた表示が、発光部を非発光状態にすることにより消える。これにより、発光部の非発光状態において、払出表示部を使用者に意識させないようにすることができる。したがって、払出表示部の非表示時において、使用者は、払出表示部を意識することなく装置本体の天面上で作業を行うことができる。これにより、使用者が、装置本体の天面を広く使用して作業することができる。
【００１４】
請求項５によれば、透明板と発光部との間に配置されるカバー体の外表面の色が、明度の低い色であるので、払出表示部の非表示状態において、使用者が上方から透明板をのぞき込んでも、カバー体を視認することはできない。そのため、払出表示部の非表示状態において、払出表示部の存在を確実に隠すことができる。
請求項６によれば、塗装膜の色の明度が比較的高いので、透明板に入ってきた光を良好に反射させることができる。これにより、透明板を塗装膜の色に、良好に見せることができる。
【００１５】
請求項７によれば、複数の個別払出表示部の各々が対応する個別払出口から払い出される賞品に関する情報を表示する。賞品の払い出しを受ける者は、個々の個別払出口から払い出される賞品についての情報を、個別払出表示部の表示により速やかに得ることができる。
【図面の簡単な説明】
【００１６】
【図１】図１は、本発明の一実施形態に係る賞品払出装置が含まれる賞品取扱システムの模式的な斜視図である。
【図２Ａ】図２Ａは、前記賞品払出装置の第２の態様を示す模式的な斜視図である。
【図２Ｂ】図２Ｂは、前記賞品払出装置の第３の態様を示す模式的な斜視図である。
【図３】前記賞品払出装置の外観の色の構成を説明するための模式的な斜視図である。各シャッタの閉状態を示している。
【図４】前記賞品払出装置の外観の色の構成を説明するための模式的な斜視図である。各シャッタの開状態を示している。
【図５】前記払出表示部の表示の一例を説明するための平面図である。
【図６Ａ】前記賞品払出装置に含まれる払出表示部の構成を説明するための分解斜視図である。
【図６Ｂ】前記払出表示部を構成する個別払出表示部の構成を説明するための断面図である。
【図７】前記払出表示部に含まれる各セグメント表示器を説明するための平面図である。
【図８】前記払出表示部を保持するための保持機構の構成を説明するための断面図である。
【図９】前記払出表示部を保持するための保持機構の構成を説明するための断面図である。
【図１０】図１０は、通い箱の斜視図である。
【図１１】図１１は、前記賞品払出装置の収納ユニットにおける収納部の模式的な平面図である。
【図１２】図１２は、前記収納ユニットの内部の模式的な右側面図である。
【図１３】図１３は、前記収納ユニットの内部の模式的な右側面図である。
【図１４】図１４は、前記収納ユニットの内部の模式的な右側面図である。
【図１５】図１５は、前記賞品払出装置の電気的構成を示すブロック図である。
【図１６】図１６は、前記店側表示部において表示されるケース別在庫画面を示す図である。
【図１７】図１７は、前記店側表示部において表示される賞品別在庫画面を示す図である。
【図１８】図１８は、図２に示す店側表示部において表示される計数中画面を示す図である。
【図１９】図１９は、特殊賞品の計数中における払出表示部の表示内容を示す図である。
【図２０】図２０は、前記店側表示部において表示される払出し中画面を示す図である。
【図２１】図２１は、繰出払出処理に関する払出表示部の表示内容を示す図である。
【図２２】図２２は、繰出払出処理に関する払出表示部の表示内容を示す図である。
【図２３】図２３は、賞品払出装置が所定状態にある場合の、払出表示部の表示内容を示す図である。
【図２４】図２４は、賞品払出装置が所定状態にある場合の、払出表示部の表示内容を示す図である。
【図２５】図２５は、賞品払出装置が所定状態にある場合の、払出表示部の表示内容を示す図である。
【図２６】図２６は、店側表示部および客側表示部が接続されていない状態において、識別計数処理終了後における払出表示部の表示内容を示す図である。
【図２７】図２７は、店側表示部および客側表示部が接続されていない状態において、繰出払出処理における払出表示部の表示内容を示す図である。
【発明を実施するための形態】
【００１７】
以下では、この発明の実施の形態を、添付図面を参照して詳細に説明する。
図１は、本発明の一実施形態に係る賞品払出装置４が含まれる賞品取扱システム１の模式的な斜視図である。賞品取扱システム１は、たとえば遊技施設に設置されて特殊賞品（賞品）Ｐを取り扱う物品取扱システムである。賞品取扱システム１は、賞品管理装置３と、賞品払出装置４とを含む。賞品管理装置３は、カード状の賞品である特殊賞品Ｐや、菓子等の一般賞品の在庫等を管理するＰＯＳ端末であって、遊技施設における受付カウンターＣ上に設置される。
【００１８】
賞品払出装置４は、特殊賞品Ｐを払い出す装置であり、受付カウンターＣのフロアにおいて賞品管理装置３に隣接して配置されている。賞品払出装置４は、内部の特殊賞品Ｐを払い出す機能も有する賞品収納装置でもあり、ＬＡＮ（図示せず）等を介して賞品管理装置３に対して通信可能に接続されている。そのため、遊技施設において受付カウンターＣを担当する係員（以下では使用者という）が、賞品管理装置３に設けられたキーボードやタッチパネル等の操作部３Ａを操作することによって、賞品払出装置４に対して特殊賞品Ｐの払い出しを指示すると、賞品払出装置４は、指示に応じた種類および個数の特殊賞品Ｐを払い出す。また、賞品払出装置４における種類毎の特殊賞品Ｐの在庫に関する情報が賞品払出装置４から賞品管理装置３に入力されるので、賞品管理装置３は、特殊賞品Ｐの在庫を更新する。
【００１９】
また、遊技客によって遊技媒体と一般賞品との交換を依頼された使用者は、指定された一般賞品を操作部３Ａの操作によって選択してから、この一般賞品を遊技客に手渡す。賞品管理装置３は、操作部３Ａの操作に応じて、この一般賞品の在庫を更新する。なお、図１では、１台の賞品管理装置３と１台の賞品払出装置４が接続されることによって賞品取扱システム１を構成しているが、賞品取扱システム１では、複数台の賞品管理装置３が１台の賞品払出装置４に接続されてもよいし、逆に、複数台の賞品払出装置４が１台の賞品管理装置３に接続されてもよい。
【００２０】
特殊賞品Ｐ（カード状の賞品）の一例は、たとえば数ミリ程度の厚さを有する。この実施形態では、特大賞品、大賞品、中賞品および小賞品といった、金銭価値に応じた４つの種類が存在する。特殊賞品Ｐの表面の色が、特殊賞品Ｐの種類毎に異なっている。具体的には、特大賞品の表面は緑色であり、大賞品の表面は青色であり、中賞品の表面は赤色であり、小賞品の表面は黄色である。
【００２１】
特殊賞品Ｐは、通い箱７に収容された状態で市場に流通する。特殊賞品Ｐは、通い箱７に収容された状態のまま賞品払出装置４の収納ユニット５２にセットされ、この状態で、賞品払出装置４は、特殊賞品Ｐの払い出しが可能になる。すなわち、特殊賞品Ｐを、手作業によって通い箱７から取り出して賞品払出装置４の収納ユニット５２に移し替える必要がない。
【００２２】
以下では、賞品払出装置４について詳しく説明する。図１に示すように、賞品払出装置４は、その外殻をなすボックス状に形成された装置本体５１と、複数の収納ユニット５２とを含む。なお、図１の紙面の左右方向は、賞品払出装置４の左右方向Ｘと一致し、図１の紙面に略直交する方向は、賞品払出装置４の前後方向Ｙと一致し、図１の紙面の上下方向は、賞品払出装置４の上下方向Ｚと一致している。左右方向Ｘおよび前後方向Ｙは、横方向に含まれる。左右方向Ｘは、左側Ｘ１と右側Ｘ２とを含み、前後方向Ｙは、図１の紙面の手前側に一致した前側Ｙ１と、図１の紙面の奥側に一致した後側Ｙ２とを含み、上下方向Ｚは、上側Ｚ１と下側Ｚ２とを含む。
【００２３】
装置本体５１は、天板４１と、この天板４１を支持する一対の側板４２とを有している。天板４１の下面には、前後方向に移動可能な複数（収納ユニット５２の数と同数）の補助テーブル４３が、左右方向Ｘに並んで設けられている。また、３つの補助テーブル４３の下面には、前後方向に移動可能な１つの引出し４４が設けられている。装置本体５１には、その前面５１Ｆの全域に亘る開口５１Ａが形成されており、開口５１Ａは、引出し４４によって引出し４４の下方に形成される空間と連通している。換言すると、引出し４４および補助テーブル４３は、天板４１と収納ユニット５２との間に設けられた空間に収納される。
【００２４】
天板４１は透明板である。より具体的には、天板４１は、アクリル板である。天板４１の上面は、装置本体５１の天面を構成している。天板４１の上面は、その略前半分を占める水平面である払出面５１Ｂと、払出面５１Ｂの後側Ｙ２において左右方向Ｘに延び、払出面５１Ｂよりも一段高い段部５１Ｃとを含む。払出面５１Ｂにおける後寄りの領域には、左右方向Ｘに長手の払出口５１Ｄが形成されている。払出口５１Ｄは、収納ユニット５２と同数存在し、左右方向Ｘに並んで配置されている。
【００２５】
賞品払出装置４は、さらに、払出口５１Ｄを開閉するシャッタ５３と、店側表示部５４Ａと、客側表示部５４Ｂとを含む。シャッタ５３は、左右方向Ｘに長手の板状に形成され、払出口５１Ｄと同数存在する。各シャッタ５３は、対応する払出口５１Ｄを閉じた閉位置（図１参照）と、段部５１Ｃ内に後退して払出口５１Ｄを開いた開位置との間で前後方向Ｙにスライド可能である。各シャッタ５３は、モータ等の駆動部（図示しない）の駆動力によって開閉される。
【００２６】
店側表示部５４Ａは、たとえばタッチパネルによって構成され、受付カウンターＣの使用者側に臨んでいる。店側表示部５４Ａは、外付けの表示器であり、装置本体５１に着脱可能に接続されている。店側表示部５４Ａは段部５１Ｃに固定される。店側表示部５４Ａには、使用者向けの情報が表示される。
客側表示部５４Ｂは、たとえばタッチパネルによって構成され、受付カウンターＣに遊技媒体との交換のために来た遊技客側に臨んでいる。客側表示部５４Ｂは、外付けの表示器であり、装置本体５１に着脱可能に接続されている。客側表示部５４Ｂは段部５１Ｃに載置される。
【００２７】
賞品払出装置４は、払出表示部３５をさらに含む。払出表示部３５は、左右方向Ｘに長い帯状の表示器である。各払出表示部３５は、払出面５１Ｂにおける、対応する払出口５１Ｄの手前側の表示領域５５に所定の表示（数字または文字）を表示する。互いに隣り合う払出表示部３５は、左右方向に所定の間隔を介して配置されている。払出表示部３５は、表示時のみ、使用者から視認可能に構成されている。すなわち、払出表示部３５の非表示時においては、払出表示部３５を使用者から視認することはできない。
【００２８】
収納ユニット５２は、特殊賞品Ｐを通い箱７ごと収納するものである。複数の収納ユニット５２は、左右方向Ｘに並んでいる。図１に示すように装置本体５１内に目一杯収容された状態における収納ユニット５２は、前後方向Ｙにおける収容位置にある。図１に示すように全ての収納ユニット５２が収容位置にある場合には、これらの収納ユニット５２の前面が、面一となって開口５１Ａを塞いだ状態にて、装置本体５１から前側Ｙ１に露出されている。収容位置にある各収納ユニット５２の真上には、装置本体５１の払出面５１Ｂにおけるいずれか１つの払出口５１Ｄが位置している。各収納ユニット５２は、前述した収容位置から、前側Ｙ１の引出位置へ前後方向Ｙに沿って引き出し可能である。
【００２９】
図２Ａおよび図２Ｂは、賞品払出装置４の第２および第３の態様をそれぞれ示す模式的な斜視図である。
引出し４４の最大引出し量は、たとえば約１９センチメートルである。引出し４４の深さは、約２センチメートルである。引出し４４には、備品（輪ゴムやビニール袋、事務用品等）や、遊技施設内に設置される遊技機の取扱説明書、保証書、オペレータガイド等が収納される。引出し４４は、補助テーブル４３から独立して引き出し可能である。
【００３０】
３つの補助テーブル４３は、個別に引き出し可能に設けられている。各補助テーブル４３は、水平面からなる上面を有する載置板である。各補助テーブル４３の最大引出し量は、たとえば約１９センチメートルである。各補助テーブル４３は、引出し４４の上面の一部を閉塞可能に設けられており、換言すると引出し４４の天板として機能する。また、補助テーブル４３は、引き出された状態において、天板４１を拡張する拡張テーブルとして機能する。営業時間外の業務などで、天板４１を広く使用したい場合に、使用者は、補助テーブル４３を引き出して使用する。
【００３１】
賞品払出装置４は、引出し４４および各補助テーブル４３がそれぞれ押し込み位置にある第１の態様（図１参照）と、引出し４４が押し込み位置よりも前側Ｙ１に引き出されているが、各補助テーブル４３が押し込み位置にある第２の態様（図２Ａ参照）と、各補助テーブル４３および引出し４４がそれぞれ押し込み位置よりも前側Ｙ１に引き出されている第３の態様（図２Ｂ参照）との３つの態様との間で、状態を変更することができる。遊技施設の営業時間中には、賞品払出装置４は専ら第１の態様で使用され、必要に応じて第２の態様で使用される。また、営業時間外においては、賞品払出装置４は、必要に応じて第３の態様で使用される。なお、引出し４４の「押し込み位置」とは、引出し４４の前面４４Ａと装置本体の前面５１Ｆとが一致するような位置をいう。また、補助テーブル４３の「押し込み位置」とは、補助テーブル４３の前面４３Ａと装置本体の前面５１Ｆとが一致するような位置をいう。
【００３２】
賞品払出装置４が備品等を収納する引出し４４を備えているため、受付カウンターＣの周辺に、備品等を収納するスペースを別途設ける必要がない。これにより、省スペース化を図りながら受付カウンターＣの整理整頓を図ったり、受付カウンターＣにおける使用者の作業スペースを大きく確保したりすることができる。
また、賞品払出装置４の状態を、遊技施設の営業態様に応じて第１の態様〜第３の態様に選択的に変更することが可能であるので、遊技施設の受付カウンターＣにおいて業務の改善および利便性の向上を図ることができる。
【００３３】
なお、引出し４４として１つのものを例に挙げて説明したが、複数に分割（たとえば、収納ユニット５２と同数に分割）された引出しが左右方向Ｘに並んでいてもよい。また、引出し４４は、賞品払出装置４の左右方向の全域ではなく、左右方向の一部のみに設けられていてもよい。
また、複数に分割された補助テーブル４３を例に挙げて説明したが、補助テーブル４３の個数は１つであってもよい。また、補助テーブル４３は、賞品払出装置４の左右方向の全域ではなく、左右方向の一部に設けられていてもよい。
【００３４】
さらに、押し込み位置で各補助テーブル４３をロックするロック機構が設けられていてもよい。この場合、補助テーブル４３のロックおよびロック解除が、後述する制御部８０（図１５参照）によって自動的に切り替えられるようになっていてもよい。記憶部８１（図１５参照）には、当該遊技店舗の営業開始／終了時間が記憶されており、制御部８０は、営業時間中には補助テーブル４３をロックしておき、営業時間外には、補助テーブル４３のロックが解除されていてもよい。この場合には、営業時間中における補助テーブル４３の使用を未然に防止できる。
【００３５】
図３および図４は、賞品払出装置４の外観の色の構成を説明するための模式的な斜視図である。図３では、各シャッタ５３の閉状態を示し、図４では、各シャッタ５３の開状態を示している。
図４に示すように、１つの払出口５１Ｄには、後述する５つの個別払出口２６が上下方向Ｚに対向している。各シャッタ５３の開状態で払出口５１Ｄが開放する。払出口５１Ｄの開放状態では、払出口５１Ｄは、後述する繰出払出部１６の本体２５の上面２５Ｚ、および上面２５Ｚに形成された個別払出口２６を上側Ｚ１に露出させている。払出口５１Ｄの開放状態では、個別払出口２６は、後述する払出部３８によって閉塞されている。したがって、払出口５１Ｄの開放状態では、本体２５の上面２５Ｚおよび払出部３８の上面が払出口５１Ｄを介して露出する。
【００３６】
天板４１の上面（すなわち払出面５１Ｂ）は、払出口５１Ｄを除き、明度の高い色（たとえば白色）に設けられている。また、各シャッタ５３の上面５３ａは、天板４１と同じ色（たとえば白色）に設けられている。したがって、全てのシャッタ５３の閉状態では、装置本体５１の天面全域が明度の高い色で統一されている。このように天板４１の上面の色と、各シャッタ５３の上面の色とを明度の高い色で統一するので、装置本体５１の天面を大きくかつ美しく見せることができる。
【００３７】
一方、本体２５の上面２５Ｚの色および払出部３８の上面の色（払出口５１Ｄの内部上面の色）は、明度の低い色（たとえば黒色）に設けられている。すなわち、天板４１の上面の色と、払出口５１Ｄの内部上面の色とは、互いに明度が大きく異なっている。
特殊賞品Ｐの払い出し時には、シャッタ５３が開放する。シャッタ５３の開放に伴って、図４に示すように、払出口５１Ｄの内部上面が露出する（図４では３つのシャッタ５３の全てが開放する状態を示している）。払出口５１Ｄの内部上面の色の明度が低いので、払出口５１Ｄの内部上面の形状や凹凸を目立たせなくすることができる。
【００３８】
また、特殊賞品Ｐの払い出しの際には、本体２５の上面２５Ｚと面一に設けられる払出部３８上に、特殊景品Ｐが積み重ねられている。払出口５１Ｄの内部上面の色の明度が低いので、払出口５１Ｄに払い出される特殊賞品Ｐ（種類に対応した色を有する）を引き立てることができ、特殊賞品Ｐを目立たせることができる。払出口５１Ｄに払い出される特殊賞品Ｐが目立つから、使用者が特殊賞品Ｐに対し焦点を合わせ易くなり、その結果、特殊賞品Ｐに対する使用者の視認性を高めることができる。これにより、使用者による特殊賞品Ｐの取り損じを抑制または防止したり、使用者の作業速度を向上させたりすることができる。
【００３９】
なお、この実施形態では、「明度の高い色」として白色を例に挙げているが、明度が「８」〜「１０」の範囲であれば他の色であってもよい。明度の高い色であれば足り、有彩色および無彩色の別を問わない。また、「明度の低い色」として黒色を例に挙げて説明したが、明度が「０」〜「４」の範囲であれば他の色であってもよい。明度の低い色であれば足り、有彩色および無彩色の別は問わない。
【００４０】
また、前述の説明では、天板４１の上面の色と払出口５１Ｄの内部上面の色とが、互いに明度が大きく異なっているとして説明したが、これに代えて、天板４１の上面の色と払出口５１Ｄの内部上面の色とが、互いに補色関係にあってもよい。この場合も、前述の場合と同様の作用効果を奏することができる。
図５は、払出表示部３５の表示の一例を説明するための平面図である。
【００４１】
払出面５１Ｂにおいて、全てのシャッタ５３が開状態であると、払出口５１Ｄを介して、１５つの個別払出口２６が露出する。ここで、１５つの個別払出口２６は、図５における左側から順に、個別払出口２６Ａ、個別払出口２６Ｂ、個別払出口２６Ｃ、個別払出口２６Ｄ、個別払出口２６Ｅ、個別払出口２６Ｆ、個別払出口２６Ｇ、個別払出口２６Ｈ、個別払出口２６Ｉ、個別払出口２６Ｊ、個別払出口２６Ｋ、個別払出口２６Ｌ、個別払出口２６Ｍ、個別払出口２６Ｎ、個別払出口２６Ｏと、Ａ〜Ｏのアルファベットで区別される。
【００４２】
各払出表示部３５は、左右方向Ｘに長い帯状の表示器である。なお、互いに隣り合う払出表示部３５は、左右方向に所定の間隔を介して配置されている。以下、左側の収納ユニット５２に収納されている特殊賞品Ｐが払い出される払出口５１Ｄに対応する払出表示部３５を、左側の払出表示部３５Ｌと呼ぶ場合がある。中央の収納ユニット５２に収納されている特殊賞品Ｐが払い出される払出口５１Ｄに対応する払出表示部３５を、中央の払出表示部３５Ｃと呼ぶ場合がある。右側の収納ユニット５２に収納されている特殊賞品Ｐが払い出される払出口５１Ｄに対応する払出表示部３５を、右側の払出表示部３５Ｒと呼ぶ場合がある。
【００４３】
各払出表示部３５は、払出面５１Ｂにおける、対応する払出口５１Ｄの手前側に設けられた表示領域５５に所定の表示を表示する。各払出表示部３５は、対応する払出口５１Ｄから払い出される特殊賞品Ｐに関する情報を表示する。各払出表示部３５は、左右方向Ｘに並ぶ複数（１つの払出口５１Ｄに含まれる個別払出口２６と同数）の個別払出表示部５６を有している。
【００４４】
各個別払出表示部５６は、セグメント表示器５９（図６Ａ参照）の発光状態（ＬＥＤ６２（図６Ｂ参照）の点灯状態）にのみ表示領域５５に表示をするが、セグメント表示器５９（図６Ａ参照）の非発光状態（ＬＥＤ６２（図６Ｂ参照）の消灯状態）では、表示領域５５に表示がされない。そして、その非表示状態において、使用者が、払出表示部３５を視認することができない。
【００４５】
図６Ａは、賞品払出装置４に含まれる払出表示部３５の構成を説明するための分解斜視図である。図６Ｂは、個別払出表示部５６の構成を説明するための断面図である。図７は、払出表示部３５に含まれる各セグメント表示器５９を説明するための平面図である。
払出表示部３５は、表示面５７ａを有する透明板５７と、透明板５７において表示面５７ａと反対側の反対面５７ｂに配置された塗装膜５８と、前記透明板に対し反対面５７ｂ側（下側Ｚ２）に配置されたセグメント表示器（発光部）５９とを含む。
【００４６】
透明板５７は、樹脂製のアクリル板を用いて構成されている。透明板５７の厚みは、３ｍｍ〜１０ｍｍである。この実施形態では、天板４１のうち表示領域５５（図５参照）に相当する部分が、透明板５７を兼ねている。この場合、払出面５１Ｂのうち表示領域５５に相当する部分が、表示面５７ａを兼ねている。
塗装膜５８は、透光性を有する不透明な膜であって、塗装膜５８は、明度の高い色（たとえば白色）である。塗装膜５８は反対面５７ｂの全域に配置されている。塗装膜５８は、スクリーン印刷を用いて形成されている（♯２００〜♯３００）。塗装膜５８は、スクリーン印刷に限られず、その他の手法によって設けることが可能である。
【００４７】
上側Ｚ１から透明板５７に入った光は、塗装膜５８が配置されている反対面５７ｂで反射する。塗装膜５８の色の明度が比較的高いので、透明板に入ってきた光を良好に反射させることができる。これにより、透明板５７を、塗装膜５８の色に、良好に見せることができる。したがって、天板４１（図１等参照）は、外側から見たときに白色の板にしか見えない。
【００４８】
各セグメント表示器５９は、ＬＥＤ基板６１と、ＬＥＤ基板６１に実装された複数のＬＥＤ６２と、セグメントカバー６３とを含む。各ＬＥＤ６２は白色ＬＥＤである。セグメントカバー６３は箱状をなし、下面側が開放している。セグメントカバー６３の外表面は、明度の低い色（黒色）である。セグメントカバー６３は、ＬＥＤ基板６１および複数のＬＥＤ６２の上側Ｚ１を覆うように、ＬＥＤ基板６１に固定されている。すなわち、セグメントカバー６３は、ＬＥＤ基板６１および複数のＬＥＤ６２と透明板５７との間に配置されている。セグメントカバー６３の上面６３ａには、次に述べる複数のセグメント６５（図７参照）を構成する透光部６４が設けられている。図６Ｂに示すように、セグメント表示器５９のＬＥＤ６２から発せられる光が、透光部６４、膜５８および透明板５７を透過し、表示面５７ａに達する。これにより、セグメント表示器５９に表示される数字、文字、記号（たとえば下線）等が、表示面５７ａに表示される。各ＬＥＤ６２は白色ＬＥＤであるため、セグメント表示器５９は、フルカラーで、数字、文字、記号等を表示することができる。
【００４９】
図７は、払出表示部３５に含まれるセグメント表示器５９を説明するための平面図である。セグメント表示器５９は、図７の例では１６セグメントディスプレイである。セグメント表示器５９は、１６個のセグメント６５からなる字表示部６６と、字表示部６６の下方において左右方向（図７でも左右方向）に長い直線状のセグメント６７からなる下線表示部６８とを含む。各セグメント６５は、たとえばＬＥＤである。字表示部６６は、ＡからＺまでの英文字（大文字）、および０〜１９までの数字を、選択的に表示可能に設けられている。
【００５０】
なお、図７の例では、セグメント表示器５９として１６セグメントの表示器を採用しているが、これに限られず、セグメント表示器として７セグメントを採用するようにしてもよい。
以上により、この実施形態によれば、セグメント表示器５９の発光状態（ＬＥＤ６２の点灯状態）では、天板４１の上面における表示領域５５（すなわち表示面５７ａ）に表示が浮かび上がる。また、セグメント表示器５９を非発光状態（ＬＥＤ６２の消灯状態）にすることにより、それまで払出面５１Ｂに浮かび上がっていた表示が消える。これにより、セグメント表示器５９の非発光状態において、払出表示部３５を使用者に意識させないようにすることができる。したがって、払出表示部３５の非表示時において、使用者は、払出表示部３５を意識することなく天板４１の上面（払出面５１Ｂ）上で作業を行うことができる。これにより、払出面５１Ｂ上において使用者が広く作業することができる。ゆえに、使用者の作業性を向上させることができる。
【００５１】
また、塗装膜５８が、表示面５７ａ（払出面５１Ｂ）ではなく反対面５７ｂに設けられている。払出面５１Ｂは、アクリルで構成されている。そのため、払出面５１Ｂを滑らかに設けることができる。そのため、払出面５１Ｂにおける使用者の作業性を、より一層向上させることができる。
仮に、セグメントカバー６３の外表面を、明度の高い色（たとえば白色）とすると、払出表示部３５の非表示状態において、使用者が上方からの表示領域５５（表示面５７ａ）をのぞき込んだ場合に、セグメントカバー６３をうっすら視認できる。この場合、セグメントカバー６３を隠すことができない。したがって、払出表示部３５の非表示状態において、使用者が払出表示部３５の存在を意識するようになる。
【００５２】
これに対し、この実施形態では、セグメントカバー６３の外表面の色が明度の低い色（たとえば黒色）であるので、払出表示部３５の非表示状態において、使用者が上方から表示領域５５（表示面５７ａ）をのぞき込んでも、セグメントカバー６３を視認することはできない。そのため、払出表示部３５の非表示状態において、払出表示部３５の存在を確実に隠すことができる。
【００５３】
なお、塗装膜５８の色は、明度が高い色でなく、明度の低い色（たとえば黒色）であってもよい。また、塗装膜５８の色は、金属色（金色、銀色等）であってもよい。
また、各払出口５１Ｄの全てに対応して払出表示部３５を設ける構成を例に挙げて説明したが、一部の払出口５１Ｄにのみ対応して払出表示部３５を設けるようにしてもよい。
また、透明板５７が、アクリル以外の他の樹脂材料を用いて形成されていてもよい。さらに、透明板５７が、ガラス材料を用いて形成されていてもよい。
【００５４】
図８および図９は、払出表示部３５を保持するための保持機構７１の構成を説明するための断面図である。
払出表示部３５は、保持機構７１を介して、装置本体５１の所定箇所に固定された、たとえば板金製の台座７２に支持されている。装置本体５１の組み立て時には、払出表示部３５を台座７２に支持させた後、払出表示部３５の上方に天板４１を配置する。装置本体５１の組み立て状態において、表示面５７ａにおけるセグメント表示を良好に保つ（各セグメント６５の明るさが均一でかつ各セグメント６５の輪郭が明瞭になる）には、天板４１の下面とセグメントカバー６３の上面６３ａとが互いに並行で、かつ両面の隙間を０．５ミリメートル未満に保つ必要がある。しかしながら、アクリル製の天板４１のたわみ等により天板４１の下面が湾曲したり、組み立て誤差により天板４１の下面が水平面に対して傾斜したりすることがある。この場合、各セグメント６５からの表示を良好に保つことができない。
【００５５】
この実施形態では、図８に示すように、保持機構７１は、台座７２に固定され、台座７２から上方に立ち上がる複数の略筒状の支持部材７３と、各支持部材７３に対応して当該支持部材７３の周囲を取り巻くように装着され、台座７２とＬＥＤ基板６１とを互いに離反する方向に弾性押圧する圧縮コイルばね７５と含む。セグメント表示器５９のＬＥＤ基板６１が、複数の支持部材７３に、挿通穴７７を介して、上下移動可能に遊嵌されている。支持部材７３の上端には、ＬＥＤ基板６１の抜けを防止するための抜け止め部７６が設けられている。支持部材７３は、根元側の大径部７３ａと、先端側の小径部７３ｂとを含む。挿通穴７７の径は、大径部７３ａよりも小径でかつ小径部７３ｂよりも大径である。
【００５６】
この実施形態では、組み立て状態においてセグメント表示器５９のセグメントカバー６３の上面６３ａに天板４１の下面が接触するように、セグメント表示器５９の上面と天板４１の下面との間が狭間隔に設定されている。組み立て状態においては、図９に示すように、セグメント表示器５９が複数の圧縮コイルばね７５によって天板４１の下面に弾性的に押圧されるので、天板４１の下面が湾曲したり傾斜したりしていても、これらの湾曲や傾斜に合わせて、ＬＥＤ基板６１が各支持部材７３の小径部７３ｂを、上下方向Ｚに移動する。これにより、セグメント表示器５９およびＬＥＤ基板６１の姿勢が、天板４１の下面４１ｂの湾曲状態や傾斜状態に合わせて変更される。
【００５７】
複数の支持部材７３は、左右方向Ｘに間隔を空けて設けられている支持部材であってもよいし、前後方向Ｙに間隔を空けて設けられている支持部材であってもよいし、その双方を含んでいてもよい。
図１０は、この実施形態で用いられる通い箱７の斜視図である。通い箱７は、所定方向（図１０では左右方向）に長手のボックス状に形成されていて、たとえば樹脂製である。通い箱７は、対向配置された一対の側壁８と、一対の側壁８間に架設された少なくとも２つ（図１０では６つ）の区画壁９と、通い箱７の底をなす１つの閉塞壁１０とを一体的に含む。
【００５８】
一対の側壁８は、通い箱７の長手方向Ｌにおいて長手の略長方形の板状に形成されていて、それぞれの板厚方向に沿って対向するように平行に配置されている。一対の側壁８の対向方向は、通い箱７において長手方向Ｌに直交する短手方向Ｓである。また、通い箱７の深さ方向Ｄは、長手方向Ｌおよび短手方向Ｓの両方に直交している。
各区画壁９は、長手方向Ｌに一致した板厚方向を有する略矩形の板状に形成されている。区画壁９は、一対の側壁８において長手方向Ｌにおける一端縁間と他端縁間とに１つずつ架設され、残りの区画壁９は、長手方向Ｌに等間隔で並んだ状態で一対の側壁８の途中部間に架設されている。そのため、通い箱７には、大きさの等しい略直方体状の５つの収容空間１１が、長手方向Ｌに等間隔で並んで形成されている。
【００５９】
閉塞壁１０は、深さ方向Ｄに一致した板厚方向を有し、長手方向Ｌにおいて長手の略長方形の板状に形成されている。閉塞壁１０は、深さ方向Ｄにおける一方側（図１０では下側）から各側壁８および各区画壁９に対して接続されていて、各収容空間１１を当該一方側から塞いでいる。各収容空間１１において深さ方向Ｄにおける他方側（図１０では上側）の端部は、略矩形状の出入口１２として、当該他方側へ開放されている。
【００６０】
通い箱７は、出入口１２とは別に設けられた開口部１３を含む。開口部１３は、長手方向Ｌにおいて各収容空間１１と同じ位置に一対ずつ、この実施形態では５対設けられている。つまり、開口部１３は、短手方向Ｓにおける通い箱７の両側において、５つずつ長手方向Ｌに等間隔で並んで設けられている。各対における２つの開口部１３は、長手方向Ｌで同じ位置にあって、短手方向Ｓにおける通い箱７の中心を基準として対称になるように構成されている。各開口部１３は、収容空間１１を外部に露出させるスリット状であり、短手方向Ｓにおける閉塞壁１０の端部を切り欠きつつ、短手方向Ｓにおいて当該端部と同じ側にある側壁８を切り欠いて、当該側壁８において深さ方向Ｄに沿って出入口１２の手前まで直線状に延びている。なお、開口部１３の形状は、任意に変更できる。
【００６１】
図１１は、各収納ユニット５２の内部の模式的な平面図である。図１２〜図１４は、各収納ユニット５２の内部の模式的な右側面図である。図１３および図１４では、それぞれ、払出処理の動作および識別計数処理の動作を示している。
収納ユニット５２は、前後方向Ｙに並ぶ２つの収納部１５と、これらの収納部１５の間に配置された繰出払出部１６とを含む。
【００６２】
各収納部１５は、その外殻をなすボックス状に形成された本体１７を含む。本体１７の上面には、略矩形状の装填口１７Ａと、装填口１７Ａを開閉する略矩形板状の蓋１７Ｂとが設けられている。蓋１７Ｂは、前後方向Ｙにおいて繰出払出部１６に最も近い端部に設けられたヒンジ１７Ｃを介して本体１７に連結されていて、ヒンジ１７Ｃを中心として回動することによって開閉される。前側の収納部１５の本体１７の前面が、収納ユニット５２の前面を構成している。本体１７の内部には、左右一対の搬送体１８と、複数（ここでは６つ）のセット部１９とが設けられている。
【００６３】
各搬送体１８は、無端状のチェーンまたはベルト（ここではチェーン（図示しない））によって構成されており、左右方向Ｘから見てたとえば略矩形の環状をなしている。搬送体１８は、モータ（図示しない）等の駆動部の駆動力を受けることによって、左右方向Ｘから見て時計回りの方向および反時計回りの方向のそれぞれへ向けて周回移動する。
各セット部１９は、左右方向Ｘに長手のトレイ状に形成されている。各セット部１９の内部空間は、左右方向Ｘに長手となった通い箱７をちょうど収容できる大きさを有する。
上向き姿勢のセット部１９には、その上面を全域に亘って開放した出入口１９Ａと、各側壁に形成されたスリット状の開口部（図示しない）とが形成されている。この開口部は、各側壁において、通い箱７の各側壁における開口部１３（図１０参照）に合致する位置に同数形成され、左右方向Ｘに並んで配置されている。この実施形態では、１つの通い箱７に収容される複数の特殊賞品Ｐは、単一種類の特殊賞品である。
【００６４】
これらのセット部１９は、左右一対の搬送体１８の周回方向Ｒに沿って環状に並んで配置された状態で、これらの搬送体１８の間に架設されている。そのため、左右の搬送体１８が周回移動すると、これらのセット部１９は、搬送体１８とともに周回移動する。また、各セット部１９は、搬送体１８との連結部分において、左右方向Ｘに延びる回動軸線まわりに回動自在である。そのため、各セット部１９は、原則として、上向き姿勢を維持するように回動しながら、ゴンドラのように周回移動する。
【００６５】
各収納部１５の内部において前後方向Ｙにおける外側の端部（前側Ｙ１の収納部１５の場合は前端部であり、後側Ｙ２の収納部１５の場合は後端部）には、識別計数部２１が配置されている。識別計数部２１は、左右方向Ｘに延びるホルダ２２と、ホルダ２２において繰出払出部１６を臨む側面（前側Ｙ１の収納部１５の場合は後面であり、後側Ｙ２の収納部の場合は前面）に設けられた識別部２３および計数部２４とを含む。左右方向Ｘに隣り合った識別部２３および計数部２４が１つの組を構成し、各識別計数部２１では、この組が、左右方向Ｘに等間隔で５組並んでいる。識別計数部２１は、収納部１５の本体１７によって支持されており、ステッピングモータ等の駆動部（図示しない）の駆動力を受けて昇降する。
【００６６】
識別部２３の一例は、発光部（図示しない）および受光部（図示しない）を含んだカラーセンサである。この場合、発光部が、被検知物である特殊賞品Ｐに対して光を照射し、その反射光を受光部が受光する。識別部２３は、この反射光をＲＧＢ値に変換して分析することによって特殊賞品Ｐの表面の色を検知し、この検知結果に基づいて特殊賞品Ｐの真偽や種類を識別する。なお、識別情報を記憶したＩＣチップが特殊賞品Ｐに内蔵されていて、識別部２３は、非接触でＩＣチップから識別情報を読み取ることによって、特殊賞品Ｐの真偽や種類を識別してもよい。
【００６７】
計数部２４の一例は、発光部（図示しない）および受光部（図示しない）を含んだ光学式の反射型センサである。この場合、発光部が、特殊賞品Ｐに対して光を照射し、その反射光を受光部が受光する。計数部２４は、識別計数部２１の昇降に伴い、上下方向Ｚに積層された特殊賞品Ｐの端部の凸形状を、発光部からの光によってなぞる。これによって、連続する複数の凸形状の輪郭にほぼ一致する波形データが得られるので、計数部２４は、この波形データにおける凸形状の数を数えることによって、特殊賞品Ｐを計数することができる。
【００６８】
繰出払出部１６は、その外殻をなすボックス状に形成された本体２５を含む。本体２５の上面２５Ｚには、個別払出口２６が１つ形成されている。個別払出口２６は、本体２５の内部空間２５Ｂを上側Ｚ１に露出させている。前述した収容位置において、個別払出口２６が、左右方向Ｘにおいて同じ位置ある１つの払出口５１Ｄの真下に配置されるようになっている。
【００６９】
繰出払出部１６は、繰出ユニット２７および払出ユニット（払出手段）２８を含む。繰出ユニット２７は、左右一対設けられている。左右２つの繰出ユニット２７のうち、左側Ｘ１のものは、前側Ｙ１の収納部１５用の繰出ユニットであり、右側Ｘ２のものは、後側Ｙ２の収納部１５用の繰出ユニットである。各繰出ユニット２７は、繰出部３０を含む。
繰出部３０は、左右方向Ｘから見て支持部２９側へ突出した略三角形の環状をなす無端状の繰出ベルト３１と、繰出ベルト３１の内側において略三角形の各頂点部分に１つずつ配置されたローラ３２と、たとえばウレタンで構成された外周面を有する繰出ローラ３３と、繰出ベルト３１の外周面に設けられた繰出部材３４とを含む。繰出ベルト３１は、少なくもいずれかのローラ３２がモータ等の駆動部（図示しない）により駆動回転されることによって、周回移動する。繰出部材３４は、繰出ベルト３１の外周面から突出した爪状に形成され、各繰出ベルト３１において、複数の繰出部材３４が繰出ベルト３１の周回方向に沿って等間隔で設けられている。
【００７０】
各繰出ユニット２７は、モータ等の駆動部（図示せず）の駆動力を受けることによって、待機姿勢と繰出姿勢との間で姿勢変更可能に設けられている。繰出姿勢にあるときの前側Ｙ１の繰出ユニット２７では、各繰出部３０が本体２５の内部空間２５Ｂから前側Ｙ１へはみ出して、各繰出部３０における繰出ベルト３１の平坦部分３１Ａが前後方向Ｙに沿って水平になっている（図１３において破線で示す状態）。繰出姿勢にあるときの後側Ｙ２の繰出ユニット２７では、各繰出部３０が内部空間２５Ｂから後側Ｙ２へはみ出して、各繰出部３０における繰出ベルト３１の平坦部分３１Ａが前後方向Ｙに沿って水平になっている（図１３において破線で示す状態）。
【００７１】
本体２５の内部空間２５Ｂにおける略上半分の領域は、複数の鉛直な板状の仕切部（図示しない）によって５つに仕切られて、縦長の繰出空間３６が区画されている。繰出空間３６は、通い箱７の収容空間１１と同数（ここでは５つ）存在し、左右方向Ｘに等間隔で並んでいる。各繰出空間３６は、本体２５の上面の個別払出口２６の真下に位置している。
【００７２】
払出ユニット２８は、払出部３８を含む。払出部３８は、上下方向Ｚに一致した板厚方向を有する略矩形の板状であり、各繰出空間３６に１つずつ配置されている。払出ユニット２８は、全ての払出部３８を一括して保持する保持部（図示しない）を含む。全ての払出部３８は、モータ等の駆動部（図示しない）の駆動力を受けることによって、繰出空間３６の下端に設定された待機位置と、繰出空間３６の上端に設定された払出位置との間で、保持部と一体となって昇降する。
【００７３】
次に、繰出払出部１６を用いた繰出払出処理について説明する。繰出払出処理は、通い箱７から特殊賞品Ｐを１枚ずつ繰り出す繰出処理と、繰り出された特殊賞品Ｐを機外へ払い出す払出処理とを含む。
まず、繰出処理について説明する。前側Ｙ１の収納部１５では搬送体１８を右側面視において時計回りに周回移動させ、後側Ｙ２の収納部１５では搬送体１８を右側面視において反時計回りに周回移動させる。各収納部１５では、繰出処理の対象となるセット部１９が払出ユニット２８の払出部３８に接近すると、当該セット部１９を、第１の姿勢変更機構（図示しない）を用いて、図１３に示すように、出入口１９Ａが横を向いた横向き姿勢に傾倒させる。前側Ｙ１の収納部１５では、後側上端にあるセット部１９が横向き姿勢にあって、このセット部１９の出入口１９Ａが後側Ｙ２を向いている。また、このセット部１９にセットされた通い箱７も、出入口１２が後側Ｙ２を向いた横向き姿勢にあって、通い箱７内の特殊賞品Ｐは、上下方向Ｚに積層された状態で、出入口１２から後側Ｙ２へはみ出していて、当該特殊賞品Ｐの後端面が繰出払出部１６側を向いている。後側Ｙ２の収納部１５では、前側上端にあるセット部１９が横向き姿勢にあって、このセット部１９の出入口１９Ａが前側Ｙ１を向いている。また、このセット部１９にセットされた通い箱７も、出入口１２が前側Ｙ１を向いた横向き姿勢にあって、通い箱７内の特殊賞品Ｐは、上下方向Ｚに積層された状態で、出入口１２から前側Ｙ１へはみ出していて、当該特殊賞品Ｐの前端面が繰出払出部１６側を向いている。
【００７４】
図１３に示すように、横向き姿勢のセット部１９にセットされた通い箱７内における最下位の特殊賞品Ｐが、払出ユニット２８の払出部３８の上面と上下方向Ｚにおいてほぼ同じ位置になると、搬送体１８の周回移動が停止する。
搬送体１８の周回移動が停止した後に、繰出姿勢の後側Ｙ２の繰出ユニット２７では、各繰出部３０が、前側Ｙ１の収納部１５の本体１７の内部空間に後側Ｙ２から進入し、横向き姿勢のセット部１９にセットされた通い箱７の真下に配置される。繰出姿勢の繰出ユニット２７Ｂでは、各繰出部３０が、後側Ｙ２の収納部１５の本体１７の内部空間に前側Ｙ１から進入し、横向き姿勢のセット部１９にセットされた通い箱７の真下に配置される。
【００７５】
次いで、繰り出し位置の繰出ベルト３１の繰出部３０において、繰出ベルト３１が周回移動され、繰出ローラ３３が駆動回転させられる。このとき、前側Ｙ１の繰出ユニット２７では、右側面視において繰出ベルト３１が時計回りに方向に周回移動されて繰出ローラ３３が反時計回りに回転させられる。また、後側Ｙ２の繰出ユニット２７では、右側面視において繰出ベルト３１が反時計回りに方向に周回移動されて繰出ローラ３３が時計回りに回転させられる。繰出ベルト３１の周回移動によって、繰出ベルト３１に設けられた繰出部材３４が、繰出ベルト３１の平坦部分３１Ａにおいて払出部３８側へ水平移動する。その際、繰出部材３４が、横向き姿勢のセット部１９にセットされた通い箱７の開口部１３（図１０参照）に進入して、当該通い箱７の収容空間１１内の最下位の特殊賞品Ｐを引っ掛けて払出部３８側へ繰り出す。払出部３８側へ繰り出された特殊賞品Ｐは、駆動回転される繰出ローラ３３に接触することによって払出部３８側へ押し出され、左右方向Ｘで同じ位置にある１つの払出部３８上に載る。そして、繰出ベルト３１の周回移動と繰出ローラ３３の回転が繰り返されることによって、横向き姿勢のセット部１９にセットされた通い箱７において各繰出部３０の真上に位置する収容空間１１内の特殊賞品Ｐが、下側Ｚ２の特殊賞品Ｐから順に１つずつ繰り出されて、払出部３８上に集積される。なお、繰り出された特殊賞品Ｐが払出部３８において上側Ｚ１に集積されるように、特殊賞品Ｐの繰り出しの度に、払出部３８は待機位置から徐々に下降させられる。
【００７６】
通い箱７における全ての収容空間１１が空になると、繰出ユニット２７が一旦待機姿勢に戻った後に搬送体１８が周回移動し、別の通い箱７がセットされたセット部１９が横向き姿勢になる。その後、繰出ユニット２７が繰出姿勢に姿勢変更して、当該別の通い箱７から特殊賞品Ｐが繰り出される。
以上の繰出処理が完了すると、払出処理が開始される。具体的には、払出処理の対象となる収納ユニット５２の真上のシャッタ５３が開位置までスライドさせられて、装置本体５１の、対応する個別払出口２６が開放される。そして、全ての払出部３８が破線で示す払出位置まで上昇させられる。これにより、各払出部３８上に繰り出された特殊賞品Ｐが、個別払出口２６から上側Ｚ１に露出されることによって機外へ払い出されるので、使用者は、払出部３８上の特殊賞品Ｐを受け取ることができる。
【００７７】
払出部３８上の特殊賞品Ｐが取り出された後に、払出部３８は待機位置まで下降させられる。さらに、今まで開位置にあったシャッタ５３が閉位置までスライドされる。また、各繰出ユニット２７が繰出姿勢から待機姿勢（図１２参照）まで戻される。これにより、払出処理が終了し、一連の繰出払出処理が完了する。
次に、識別計数処理について説明する。
【００７８】
識別計数処理の場合には、前側の収納部１５において、搬送体１８が右側面視において反時計回りに周回移動させられ、後側の収納部１５では搬送体１８を右側面視において時計回りに周回移動させられる。各収納部１５では、識別計数処理の対象となるセット部１９が、識別計数部２１の上方に配置された所定位置に上側Ｚ１から接近すると当該セット部１９が、第２の姿勢変更機構（図示しない）により、図１４に示すように、出入口１９Ａが横を向いた横向き姿勢に傾倒させられる。
【００７９】
前側の収納部１５では、前側下端にあるセット部１９が横向き姿勢にあって、このセット部１９の出入口１９Ａが前側Ｙ１を向いている。また、このセット部１９にセットされた通い箱７も、出入口１２が前側Ｙ１を向いた横向き姿勢にあって、通い箱７内の特殊賞品Ｐは、上下方向Ｚに積層された状態で、出入口１２から前側Ｙ１へはみ出しており、当該特殊賞品Ｐの前端面が識別計数部２１側を向いている。後側の収納部１５では、後側下端にあるセット部１９が横向き姿勢にあって、このセット部１９の出入口１９Ａが後側Ｙ２を向いている。また、このセット部１９にセットされた通い箱７も、出入口１２が後側Ｙ２を向いた横向き姿勢にあって、通い箱７内の特殊賞品Ｐは、上下方向Ｚに積層された状態で、出入口１２から後側Ｙ２へはみ出しており、当該特殊賞品Ｐの後端面が識別計数部２１側を向いている。
【００８０】
図１４に示すようにセット部１９が上向き姿勢から横向き姿勢に変わって識別計数部２１に上側Ｚ１から接近すると、搬送体１８の周回移動が停止させられる。このとき、各収納部１５では、識別計数部２１における識別部２３および計数部２４の組が、横向き姿勢のセット部１９にセットされた通い箱７の各収容空間１１に対して１組ずつ左右方向Ｘにおいて同じ位置にある。この状態で、識別計数部２１が、たとえば下端の待機位置から上昇させられる。その際、各組における識別部２３および計数部２４が、当該通い箱７において左右方向Ｘで同じ位置にある収容空間１１に前後方向Ｙから対向しながら上昇する。識別部２３は、左右方向Ｘで同じ位置にある収容空間１１に収容されて上下方向Ｚに積層された状態にある特殊賞品Ｐを下側Ｚ２から順に１つずつ非接触で識別し、計数部２４は、当該収容空間１１に収容されて上下方向Ｚに積層された状態にある特殊賞品Ｐを下側Ｚ２から順に１つずつ非接触で計数する。横向き姿勢のセット部１９にセットされた通い箱７の各収容空間１１における全ての特殊賞品Ｐについての識別および計数が完了して識別計数部２１が待機位置まで下降すると、識別計数処理が終了する。
【００８１】
図１５は、賞品払出装置４の電気的構成を示すブロック図である。制御部８０は、ＣＰＵやＲＯＭやＲＡＭ等で構成され、タイマ等を内蔵し、装置本体５１に設けられている。制御部８０には、装置本体５１のシャッタ５３、店側表示部５４Ａおよび客側表示部５４Ｂのそれぞれに関連した電気部品（たとえば、前述した駆動部やセンサ等）が電気的に接続されている。店側表示部５４Ａおよび客側表示部５４Ｂは、Ｉ／Ｏポート８２を介して、制御部８０に接続されている。
【００８２】
また、制御部８０には、各収納ユニット５２の各収納部１５における搬送体１８および識別計数部２１、ならびに、各収納ユニット５２の繰出払出部１６に関連した電気部品が電気的に接続されている。制御部８０は、これらの電気部品の動作を制御することによって、収納ユニット５２の内部の特殊賞品Ｐを識別および計数する識別計数処理と、収納ユニット５２の内部の特殊賞品Ｐを繰り出して機外に払い出す繰出払出処理とを実行する。これらの処理に関連して、制御部８０は、店側表示部５４Ａや客側表示部５４Ｂに必要な情報を表示したり、使用者による店側表示部５４Ａの操作に応じた指示を受け付けたりする。
【００８３】
賞品払出装置４は、記憶部８１をさらに備えている。記憶部８１は、不揮発性メモリやハードディスクドライブといった記憶デバイスによって構成されている。記憶部８１は、制御部８０に電気的に接続されている。記憶部８１は、各セット部１９にセットされて識別計数処理を受けた通い箱７内の特殊賞品Ｐの種類および収納数等を記憶している。また、記憶部８１は、過去の特殊賞品Ｐの払出履歴といった情報も記憶している。
【００８４】
図１６は、店側表示部５４Ａにおいて表示されるケース別（通い箱別）在庫画面１０１を示す図である。図１７は、店側表示部５４Ａにおいて表示される賞品別在庫画面１０２を示す図である。
賞品払出装置４が賞品管理装置３からの賞品の払出指示を待つ待機状態にあるとき、制御部８０は、前回取引数表示画面（図示しない）と、図１６に示すケース別（通い箱別）在庫画面１０１と、図１７に示す賞品別在庫画面１０２とを選択的に表示する。なお、この実施形態において、「ケース」とは通い箱７を指す。また、「レーン」とは、収納ユニット５２を指す。すなわち、図１６の「レーン左」とは、賞品払出装置４において左右方向Ｘに３つ並んだ収納ユニット５２のうち左側の収納ユニット５２を指す。また、図１６の「レーン中」とは、賞品払出装置４において左右方向Ｘに３つ並んだ収納ユニット５２のうち真ん中の収納ユニット５２を指す。さらに、図１６の「レーン右」とは、賞品払出装置４において左右方向Ｘに３つ並んだ収納ユニット５２のうち右側の収納ユニット５２を指す。
【００８５】
図１６のケース別在庫画面１０１では、「（特殊賞品を）払出しできます」というメッセージ１０３が表示される。また、ケース別在庫画面１０１では、いずれのレーンであるかが記載されたレーン識別表示１０４のそれぞれの上側（図１６の上側）に、対応するレーン（収納ユニット５２）の１２つの通い箱７のそれぞれに収納されている特殊賞品Ｐの種類および個数が通い箱７毎に表示されている。具体的には、特殊賞品Ｐの種類および個数に関する１２つの表示のうち下側の６つの表示が、収納ユニット５２の前側Ｙ１の収納部１５に収容されている６つの通い箱７にそれぞれ対応している。また、１２つの表示のうち上側の６つの表示が、収納ユニット５２の後側Ｙ２の収納部１５に収容されている６つの通い箱７にそれぞれ対応している。具体的には、レーン右のレーン識別表示１０４の上側には、右端の収納ユニット５２の１２つの通い箱７のそれぞれに収納されている特殊賞品Ｐの種類（ここでは、いずれの通い箱７も「特大」）および個数（ここでは、いずれの通い箱７も「１００」）が表示される。
【００８６】
ケース別在庫画面１０１では、通い箱７単位で、特殊賞品Ｐが０枚のエンプティまたは特殊賞品Ｐが所定枚数未満のニアエンプティといった収容状況が表示される。具体的には、エンプティを表わすエンプティ表示１０５Ａとして、「補充」の旨のメッセージが表示される。また、ニアエンプティを表わすニアエンプティ表示１０５Ｂとして、特殊賞品Ｐの数の通常の表示色とは異なる色（通常の表示色である黒色とは異なる赤色）での表示がある。
【００８７】
また、ケース別在庫画面１０１の右上隅には、表示切替ボタン１０６と、メニューボタン１０７と、在庫計数ボタン１０８とが、並んで表示されている。表示切替ボタン１０６を押下することによって、店側表示部５４Ａの表示画面が、前回取引数表示画面（図示しない）または賞品別在庫画面１０２（図１７参照）に切り替えられる。メニューボタン１０７を押下すると、賞品払出装置４で実施できる処理内容（メニュー）が店側表示部５４Ａに表示される。なお、前述の各種ボタン１０６，１０７，１０８の配置態様については、この態様に限られない。
【００８８】
図１７の賞品別在庫画面１０２では、「（特殊賞品を）払い出しできます」というメッセージ１０３の下に、特大、大、中、小の各特殊賞品Ｐの賞品払出装置４内における在庫数が、在庫数表示１０９として賞品種類別に表示される。在庫数表示１０９は、特殊賞品Ｐの賞品種類別の在庫数を数字で表示するだけでなく、インジケータとしても表示している。たとえば、図１７の例には、特大賞品の在庫が１２００個であって、大賞品の在庫が７０８個であって、中賞品の在庫が０個であって、小賞品の在庫が０個（エンプティ）であることが、在庫数表示１０９として表示されている。図１７の例では、特殊賞品Ｐの各種類の在庫数が、賞品払出装置４全体として０枚の所定枚数未満のエンプティである場合には、０個の代わりにエンプティという表示が行われる。
【００８９】
在庫数表示１０９の下方（図１７の下方）には、特殊賞品Ｐの賞品種類別の残量不足が表示される。この残量不足の表示は、エンプティ表示１１１およびニアエンプティ表示１１２を用いて行われる。
エンプティ表示１１１は、エンプティである旨を表す「補充」という表示と、補充が必要になる通い箱７の個数とを文字および数字で表示している。エンプティ表示１１１の背景色は、補充が必要になる特殊賞品Ｐの種類を、特殊賞品Ｐの種類を示す色で表示している。これにより、補充が必要になる特殊賞品Ｐの種類および通い箱７の個数を、エンプティ表示１１１によって表示することができる。このような直感的なエンプティ表示１１１により、補充が必要な特殊賞品Ｐの種類および通い箱７の個数を、使用者は一目で把握することができる。
【００９０】
また、ニアエンプティ表示１１２は、ニアエンプティである旨を表す「準備」という表示と、準備が必要になる通い箱７の個数とを文字および数字で表示している。ニアエンプティ表示１１２の背景色は、準備が必要になる特殊賞品Ｐの種類を、特殊賞品Ｐの種類を示す色で表示している。これにより、準備が必要になる特殊賞品Ｐの種類および通い箱７の個数を、ニアエンプティ表示１１２によって表示することができる。このような直感的なニアエンプティ表示１１２により、準備が必要な特殊賞品Ｐの種類および通い箱７の個数を、使用者は一目で把握することができる。
【００９１】
なお、エンプティ表示１１１およびニアエンプティ表示１１２の表示色を、補充や準備の対象になる特殊賞品Ｐの種類を示す色とは異なる色で表示してもよい。この場合、エンプティ表示１１１がたとえば赤色、ニアエンプティ表示１１２が黄色というように、エンプティ表示１１１およびニアエンプティ表示１１２の色が、それぞれ一つの色に定められていてもよい。
【００９２】
以上のように、ケース別在庫画面１０１（図１６参照）および賞品別在庫画面１０２（図１７参照）では、各通い箱７におけるエンプティまたはニアエンプティといった収容状況を報知することができる。報知を使用者は、その後の補充処理によりエンプティまたはニアエンプティの収容空間５に特殊賞品Ｐを早めに追加することによって、通い箱７において特殊賞品Ｐをきめ細かく且つスピーディに補充できる。そのため、遊技客を待たせることなく、必要な種類および枚数の特殊賞品Ｐを払い出すことができる。
【００９３】
ケース別在庫画面１０１（図１６参照）および賞品別在庫画面１０２（図１７参照）において、在庫計数ボタン１０８を押下されると、制御部８０は、識別計数部２１（図１１等参照）を用いた、前述の識別計数処理を実行する。このような識別計数処理により、制御部８０は、通い箱７に収容されている特殊賞品Ｐについての種類や数を把握することができる。
【００９４】
図１８は、店側表示部５４Ａにおいて表示される計数中画面１２１を示す図である。図１９は、特殊賞品Ｐの計数中における払出表示部３５の表示内容を示す図である。
識別計数処理中には、制御部８０は、図１８に示すように、店側表示部５４Ａに計数中画面１２１を表示する。図１８に示すように、計数中画面１２１では、「（特殊賞品Ｐを）計数しています」というメッセージ１２が表示
される。この表示は、全ての収納ユニット５２において識別計数処理が終了するまで続行される。
【００９５】
また、識別計数処理中には、制御部８０は、図１９（ａ）に示すように、識別計数処理を実行中の収納ユニット５２に対応する払出表示部３５に、「ＣＯＵＮＴ」の文字のような、識別計数処理がこれから開始される旨を報知する情報を表示させる。「ＣＯＵＮＴ」の文字は、たとえば、緑色でかつ点滅表示されている。図１９（ａ）の例では、左側の収納ユニット５２において識別計数処理が実行される場合が示されており、そのため、左側の払出表示部３５Ｌにのみ計数結果が表示されている。識別計数処理が終了すると、制御部８０は、図１９（ｂ）に示すように、この表示を消す。
【００９６】
識別計数処理の終了後には、制御部８０は、計数結果を表示する計数結果表示画面（図示しない）を店側表示部５４Ａに表示させる。その後、使用者の操作により、ケース別在庫画面１０１（図１６参照）および賞品別在庫画面１０２（図１７参照）が店側表示部５４Ａに再度表示される。
次に、特殊賞品Ｐの払い出しについて説明する。図２０は、店側表示部５４Ａにおいて表示される払出し中画面を示す図である。図２１および図２２は、繰出払出処理に関する払出表示部３５の表示内容を示す図である。図２１（ａ）には、払出処理の開始前の表示内容を示し、図２１（ｂ）には、払出処理の開始から払出処理中における表示内容を示す。図２２（ａ）には、払出処理の終了後の表示内容を示し、図２２（ｂ）には、払出処理において払出対象の種類の特殊賞品Ｐにニアエンプティが発生している場合における表示内容を示す。
【００９７】
使用者が、遊技客からの依頼に応じて賞品管理装置３の操作部３Ａを操作すると、特殊賞品Ｐの払い出しの指示が賞品管理装置３から賞品払出装置４に入力される。制御部８０は、入力された指示に応じた種類および数の特殊賞品Ｐが賞品払出装置４から払い出されるように、前述した繰出払出処理を開始する。具体的には、どの個別払出口２６にどの種類の特殊賞品Ｐが何枚払い出されるかが決まると、前述した繰出処理が行われ、通い箱７から繰り出された所定枚数の特殊賞品Ｐが、払出し対象の個別払出口２６に対応する払出部３８の上に積載される。
【００９８】
この繰出処理に並行して、制御部８０は、図２１（ａ）に示すように、払出し対象の個別払出口２６に対応する個別払出表示部５６に、その個別払出口２６に払い出される特殊賞品Ｐの個数情報を、特殊賞品Ｐの種類を示す色がついた数字で表示（個別表示）させる。この時点では、この表示は点滅表示である。
具体的には、個別払出口２６Ａ（図５参照）に対応する個別払出表示部５６（左側の払出表示部３５Ｌの左端の個別払出表示部５６）には、赤色で「５」の数字が点滅表示され、個別払出口２６Ｊ（図５参照）に対応する個別払出表示部５６（中央の払出表示部３５Ｃの右端の個別払出表示部５６）には、青色で「２」の数字が点滅表示され、個別払出口２６Ｎ（図５参照）に対応する個別払出表示部５６および個別払出口２６Ｏ（図５参照）に対応する個別払出表示部５６（右側の払出表示部３５Ｒの右から２番目の個別払出表示部５６および右端の個別払出表示部５６）には、それぞれ、緑色で「３」および「１５」の数字が点滅表示される。これにより、個別払出口２６Ａにおいて赤色の特殊賞品Ｐがこれから５枚払い出されるということと、個別払出口２６Ｊにおいて青色の特殊賞品Ｐがこれから２枚払い出されるということと、個別払出口２６Ｎおよび個別払出口２６Ｏにおいて緑色の特殊賞品Ｐがこれからそれぞれ３枚および１５枚払い出されるということとを、使用者は瞬時に把握することができる。
【００９９】
繰出処理が終了すると、次いで払出処理が開始される。具体的には、制御部８０は、全ての払出部３８を上昇させ、かつ、払出処理の対象となる個別払出口２６を含むシャッタ５３を開位置までスライドさせて個別払出口２６が上側Ｚ１に露出する。そして、全ての払出部３８が個別払出口２６に達することにより、払出部３８に積載されている特殊賞品Ｐが個別払出口２６から上側Ｚ１に露出され、機外へ払い出される。これにより、使用者は、払出部３８上の特殊賞品Ｐを受け取り可能な状態になる。
【０１００】
この払出処理に並行して、制御部８０は、それまで点滅していた表示を、図２１（ｂ）に示すように点灯状態で表示する（常時表示）。すなわち、個別払出口２６Ａに対応する個別払出表示部５６には、赤色で「５」の数字が点灯表示され、個別払出口２６Ｊに対応する個別払出表示部５６には、青色で「２」の数字が点灯表示され、個別払出口２６Ｎに対応する個別払出表示部５６および個別払出口２６Ｏに対応する個別払出表示部５６には、それぞれ、緑色で「３」および「１５」の数字が点灯表示される。これにより、個別払出口２６Ａにおいて赤色の特殊賞品Ｐが現在５枚払い出されているということと、個別払出口２６Ｊにおいて青色の特殊賞品Ｐが現在２枚払い出されているということと、個別払出口２６Ｎおよび個別払出口２６Ｏにおいて緑色の特殊賞品Ｐが現在それぞれ３枚および１５枚払い出されているということとを、使用者は瞬時に把握することができる。
【０１０１】
また、払出処理に並行して、制御部８０は、図２０に示すように、店側表示部５４Ａに払出中画面１３１を表示する。図２０に示すように、払出中画面１３１には、「（特殊賞品の）払い出しています」というメッセージ１３２が表示され、かつ払い出される予定の特殊賞品Ｐの各種類の個数を表す払出個数表示１３３が表示される。なお、払出中画面１３１において、払出個数表示１３３として、実際に払い出された特殊賞品Ｐの各種類の個数が併せて表示されるようになっていてもよい。
【０１０２】
払出処理が正常に終了すると、制御部８０は、店側表示部５４Ａに、払出終了画面（図示しない）を表示する。この払出終了画面は、払出中画面１３１とほぼ同様であるが、「払い出しています」というメッセージ１３２に代わって、「払い出されました」というメッセージが表示される。また、払出個数表示１３３として、実際に払い出された特殊賞品Ｐの各種類の個数が表示される。また、払出終了画面において、払出処理が正常に終了したことを文字等が表示されていてもよい。
【０１０３】
払出処理終了後において、払出表示部３５に表示される内容は、図２２（ａ）に示すように、払出処理中（図２１（ｂ）参照）の場合と同じである。
また、払出処理中および払出終了後において、払出対象の種類の特殊賞品Ｐにニアエンプティが生じている場合には、制御部８０は、図２２（ｂ）に示すように、ニアエンプティが発生している特殊賞品Ｐを払い出している個別払出口２６に対応する個別払出表示部５６（に表示されている数字）においてアンダーバーを点灯表示させる。このような表示により、アンダーバーで示された種類の特殊賞品Ｐにニアエンプティが発生していることを、使用者にダイレクトに報知することができる。これにより、店側表示部５４Ａだけでなく、払出表示部３５においても、ニアエンプティの発生を使用者に対して報知できる。
【０１０４】
特殊賞品Ｐが機外へ払い出された後、使用者は、個別払出口２６における左右の両端縁の窪み（図示しない）に指を掛けることによって、個別払出口２６上の特殊賞品Ｐを容易に掴むことができる。そして、使用者は、掴んだ特殊賞品Ｐを遊技客に手渡す。
払出処理または識別計数処理以外の状態においても、払出表示部３５を用いて種々の情報を使用者に報知できる。
【０１０５】
図２３〜図２５は、賞品払出装置４が所定状態にある場合の、払出表示部３５の表示内容を示す図である。
賞品払出装置４の待機状態においてニアエンプティが発生している場合には、制御部８０は、図２３（ａ）に示すように、全ての個別払出表示部５６（全ての払出表示部３５に含まれる全ての個別払出表示部５６）においてアンダーバーを点灯表示させる。この表示は、ニアエンプティが発生している特殊賞品Ｐに付されている色で表示される。なお、ニアエンプティの表示（アンダーバーの表示）は、全ての払出表示部３５でなく、ニアエンプティが生じている通い箱７を収容している収納ユニット５２に対応する払出表示部３５のみで行うようにしてもよい。
【０１０６】
また、賞品払出装置４の待機状態においてエンプティが発生している場合には、制御部８０は、図２３（ｂ）に示すように、全ての払出表示部３５において「ＥＭＰＴＹ」の文字をアンダーバー付きで点灯表示させる。この表示は、エンプティが発生している特殊賞品Ｐに付されている色で表示される。なお、エンプティの表示（「ＥＭＰＴＹ」の文字をアンダーバー付きで表示）は、全ての払出表示部３５でなく、エンプティが生じている通い箱７を収容している収納ユニット５２に対応する払出表示部３５のみで行うようにしてもよい。
【０１０７】
また、収納ユニット５２に特殊賞品Ｐを補充する際には、使用者は、収容位置にある収納ユニット５２を前側Ｙ１へと引き出し、蓋１７Ｂを開いて装填口１７Ａを開放させ、特殊賞品Ｐが収容された通い箱７をセットする。これにより、収納ユニット５２に特殊賞品Ｐが補充される。特殊賞品Ｐの補充後、使用者は、収納ユニット５２を押し込む。これにより、収納ユニット５２が収容位置まで戻される。
【０１０８】
このような特殊賞品Ｐの補充時において、収納ユニット５２（レーン）の引き出し（引き出し動作）中には、図２４（ａ）に示すように、引き出し対象の収納ユニット５２に対応する払出表示部３５において、「ＯＰＥＮ」の文字が青色で点滅表示される。また、引き出し動作が途中で停止されると、図２４（ｂ）に示すように、「ＯＰＥＮ」の文字（青色）が点滅状態から点灯状態に変化する。なお、図２４（ａ），（ｂ）の例では、左側の収納ユニット５２が引き出されており、そのため、左側の払出表示部３５Ｌにのみ「ＯＰＥＮ」の文字が表示されている。
【０１０９】
一方、収納ユニット５２（レーン）を押し込む動作（押し込み動作）中には、図２４（ｃ）に示すように、押し込み対象の収納ユニット５２に対応する払出表示部３５において「ＣＬＯＳＥ」の文字が青色で点滅表示される。押し込み動作の終了後には、「ＯＰＥＮ」の文字は消灯される。
そして、収納ユニット５２の引き出し動作および押し込み動作によって、収納ユニット５２に特殊賞品Ｐが補充された場合には、押し込み動作の終了後に、図２５（ａ）に示すように、補充対象の収納ユニット５２に対応する払出表示部３５において「ＯＯＯＯＯ」の文字が、補充された特殊賞品Ｐに付されている色で点灯表示または点滅表示される。
【０１１０】
ところで、特殊賞品Ｐの払出時にエラー（異常）が発生することがある。賞品払出装置４は、賞品払出時のエラーを検出する機能を備えている。このようなエラーとして、繰出払出部１６における、繰出処理のエラーや払出処理のエラーを例示することができる。
エラーが発生したときには、図２５（ｂ）に示すように、エラーが発生した収納ユニット５２に対応する払出表示部３５において「ＥＲＲＯＲ」の文字が赤色で点灯表示される。また、エラーの発生時には、店側表示部５４Ａにおいてもエラーの旨の表示が表示される。
【０１１１】
なお、図１９、図２４および図２５において、点灯／点滅の別やその色は、前述の例に限られず、各種の状態を識別できれば、他の態様（点灯／点滅の別やその色）で表示してもよい。
ところで、前述のように、店側表示部５４Ａは、外付けの表示器であり、装置本体５１に着脱可能に接続されている。また、客側表示部５４Ｂは、外付けの表示器であり、装置本体５１に着脱可能に接続されている。そのため、賞品払出装置４の設置時（すなわち、初期設定時）に、店側表示部５４Ａおよび客側表示部５４Ｂが装置本体５１に接続されていない場合には、店側表示部５４Ａおよび客側表示部５４Ｂが付いていない状態で賞品払出装置４が使用される。
【０１１２】
この実施形態では、賞品払出装置４の制御部８０（図１５参照）は、Ｉ／Ｏポート８２（図１５参照）の状態から、店側表示部５４Ａおよび客側表示部５４Ｂが接続されているか否かを検出することができる。店側表示部５４Ａおよび客側表示部５４Ｂが装置本体５１に接続されていないと判断した場合には、制御部８０は、本来、店側表示部５４Ａで行うべき表示（図１６〜図１８および図２０に示す表示）を、払出表示部３５を用いて表示する。
【０１１３】
すなわち、装置本体５１に店側表示部５４Ａおよび客側表示部５４Ｂ（外付けの表示部）が接続されている状態と、装置本体５１に店側表示部５４Ａおよび客側表示部５４Ｂ（外付けの表示部）が接続されていない状態とで、払出表示部３５に表示可能な表示の種類が異なっている。さらに言えば、装置本体５１に店側表示部５４Ａおよび客側表示部５４Ｂ（外付けの表示部）が接続されていない状態では、装置本体５１に店側表示部５４Ａおよび客側表示部５４Ｂ（外付けの表示部）が接続されている状態において表示されない種類の表示を表示可能である。
【０１１４】
図２６は、店側表示部５４Ａおよび客側表示部５４Ｂが接続されていない状態において、識別計数処理終了後における払出表示部３５の表示内容を示す図である。
識別計数処理中には、制御部８０は、店側表示部５４Ａおよび客側表示部５４Ｂが接続されている状態と同様、図１９（ａ）に示すような表示を行う。すなわち、識別計数処理が終了すると、制御部８０は、図２６に示すように、左側の払出表示部３５Ｌに、特大賞品の計数結果を表示し、中央部の払出表示部３５Ｃに、大賞品の計数結果を表示し、かつ右側の払出表示部３５Ｒに、中賞品の計数結果を表示する。
【０１１５】
図２７は、店側表示部５４Ａおよび客側表示部５４Ｂが接続されていない状態において、繰出払出処理における払出表示部３５の表示内容を示す図である。
繰出払出処理中には、制御部８０は、店側表示部５４Ａおよび客側表示部５４Ｂが接続されている状態と同様、図２１および図２２に示すような表示を行う。払出処理が正常に終了すると、制御部８０は、実際に払い出された特殊賞品Ｐの各種類の個数を、払出表示部３５に表示する。具体的には、制御部８０は、図２７に示すように、左側の払出表示部３５Ｌに、特大賞品の払い出し個数を表示し、中央部の払出表示部３５Ｃに、大賞品の払い出し個数を表示し、かつ右側の払出表示部３５Ｒに、中賞品の払い出し個数を表示する。  
【０１１６】
なお、店側表示部５４Ａおよび客側表示部５４Ｂが接続されている状態か否かを、制御部８０が自動的に判断する場合を例に挙げて説明したが、別途スイッチを設けることにより、店側表示部５４Ａおよび客側表示部５４Ｂが接続されている状態と、店側表示部５４Ａおよび客側表示部５４Ｂが接続されている状態とを、使用者が手動で切り替えるようにしてもよい。
【０１１７】
また、店側表示部５４Ａおよび客側表示部５４Ｂが接続されている状態のみにおいて払出表示部３５に表示される情報として、図２６や図２７に示す情報だけでなく、前回の取引結果も挙げることができる。
以上、この発明の一実施形態について説明したが、本発明は他の形態で実施することもできる。たとえば、図１６に二点鎖線で示すように、予め定める表示開始時刻になると、表示されるショートカットボタン２００が設けられるようになっている。また、ショートカットボタン２００は、予め定める表示終了時刻を過ぎると画面（たとえばケース別在庫画面１０１（図１６参照）や賞品別在庫画面１０２（図１７参照））から消去される。このようなショートカットボタン２００として、ボタン設定画面（図示しない）を用いて使用者が設定可能に設けられていてもよい。また、ショートカットボタン２００は１つだけでなく、複数個、画面上に表示されるようになっていてもよい。このようなショートカットボタン２００として、閉店時の締め操作用ボタンを、たとえば、遊技施設の閉店時間の周辺のみ表示することを例示することができる。
【０１１８】
ショートカットボタン２００を、所望の時間帯にのみ表示することにより、操作を希望するボタンを探すために画面を切り替える必要がない。したがって、所望の操作を短時間で行うことができる。
また、店側表示部５４Ａにおいて、制御部８０が、記憶部８１に記憶されている表示履歴に基づいて、使用者の選択により遷移する一連の画面遷移において、選択されない中間の画面を省略するようにしてもよい。具体的には、識別計数処理中には、計数中画面１２１（図１８参照）が表示され、その後計数終了画面（図示しない）が表示される。その後は、使用者の操作により、計数結果を表示する計数結果表示画面（図示しない）や、ケース別在庫画面１０１（図１６参照）、賞品別在庫画面１０２（図１７参照）が選択的に店側表示部５４Ａに表示される。
【０１１９】
しかしながら、「計数中画面１２１」→「計数終了画面」→「計数結果表示画面」への移行が、連続して所定回数（たとえば５回）続いた場合に、制御部８０が、その次の識別計数処理から、計数中画面１２１の表示後にダイレクトに計数結果表示画面に進ませるようにしてもよい（「計数中画面１２１」→「計数結果表示画面」）。すなわち計数終了画面をショートカットするようにしてもよい。
【０１２０】
このように、表示履歴に基づいて、移行頻度の高い一連の表示のうち中間の画面（たとえば、計数終了画面）を省略してダイレクトにその次の画面（計数結果表示画面）を表示することにより、画面を多く切り替えることなく、所望の画面にたどり着くことができる。
また、前述の実施形態では、払出表示部３５が、透明板５７と、透明板５７の反対面５７ｂに配置された塗装膜５８とを含む場合を例に挙げて説明したが、払出表示部３５は、これらを備えない構成であってもよい。払出表示部３５を構成する板状体が板全体として見たときに不透明であるが、その板状体が、併せて透光性も有していてもよい。この場合、反対面５７ｂ側（下側Ｚ２）には、前述した構成と同様に、セグメント表示器５９が配置される。セグメント表示器５９のＬＥＤ６２から発せられる光が、払出表示部３５の板状体を透過し、表示面５７ａに達する。これにより、セグメント表示器５９に表示される数字、文字、記号（たとえば下線）等が、表示面５７ａに表示される。
【０１２１】
また、発光部として、セグメント表示器５９を例に挙げて説明したが、セグメント表示器以外の他の発光表示部を、発光部として採用するようにしてもよい。
また、賞品払出装置４として、特殊賞品Ｐを通い箱７に収容した状態のまま収納ユニット５２に収納するタイプの装置を例に挙げて説明したが、特殊賞品Ｐを通い箱７から取り出した状態で収納ユニット５２に収納するタイプの装置にも本発明を適用できる。
【０１２２】
また、賞品払出装置４は、遊技施設のフロアに据え付けられるのではなく、受付カウンターＣ上に設置される卓上タイプであってもよい。
その他、特許請求の範囲に記載された事項の範囲で種々の設計変更を施すことが可能で
ある。
【符号の説明】
【０１２３】
４      ：賞品払出装置
２６    ：個別払出口
３５    ：払出表示部
５１    ：装置本体
５１Ｂ  ：払出面（天面）
５２    ：収納ユニット
５２Ｄ  ：払出口
５６    ：個別払出表示部
５７    ：反対面
５７ａ  ：表示面
５７ｂ  ：反対面
５８    ：塗装膜
５９    ：セグメント表示器（発光部）
６２    ：ＬＥＤ
６３    ：セグメントカバー（カバー体）
Ｐ      ：特殊賞品
【図１】
2018175377.tif 000003
【図２Ａ】
2018175377.tif 000004
【図２Ｂ】
2018175377.tif 000005
【図３】
2018175377.tif 000006
【図４】
2018175377.tif 000007
【図５】
2018175377.tif 000008
【図６Ａ】
2018175377.tif 000009
【図６Ｂ】
2018175377.tif 000010
【図７】
2018175377.tif 000011
【図８】
2018175377.tif 000012
【図９】
2018175377.tif 000013
【図１０】
2018175377.tif 000014
【図１１】
2018175377.tif 000015
【図１２】
2018175377.tif 000016
【図１３】
2018175377.tif 000017
【図１４】
2018175377.tif 000018
【図１５】
2018175377.tif 000019
【図１６】
2018175377.tif 000020
【図１７】
2018175377.tif 000021
【図１８】
2018175377.tif 000022
【図１９】
2018175377.tif 000023
【図２０】
2018175377.tif 000024
【図２１】
2018175377.tif 000025
【図２２】
2018175377.tif 000026
【図２３】
2018175377.tif 000027
【図２４】
2018175377.tif 000028
【図２５】
2018175377.tif 000029
【図２６】
2018175377.tif 000030
【図２７】
2018175377.tif 000031